(57)【要約】【課題】専用の部品を使用せずに、電子機器または電子台の端子を確実に保護する。【解決手段】感電防止装置（１０）は、絶縁性材料から形成されていて端子を被覆する端子被覆部（２０）と、端子被覆部に一体的に絶縁性材料から形成されていて、端子に接続された電線に周方向に巻付いて被覆する結束バンド（３０）と、結束バンドの一端に形成されていて結束バンドの他端が挿入される挿入口（３５）と、挿入口内に挿入された結束バンドを保持する戻止部（３６）とを具備する。【選択図】図１
2014017148.tif 000002
【特許請求の範囲】
【請求項１】
絶縁性材料から形成されていて端子を被覆する端子被覆部と、
該端子被覆部に一体的に前記絶縁性材料から形成されていて、前記端子に接続された電線に周方向に巻付いて被覆する結束バンドと、
前記結束バンドの一端に形成されていて前記結束バンドの他端が挿入される挿入口と、
該挿入口内に挿入された前記結束バンドを保持する戻止部とを具備する、感電防止装置。
【請求項２】
前記端子被覆部と前記挿入口とが、前記結束バンドの巻付方向に対して垂直な方向において一直線上に配置されている、請求項１に記載の感電防止装置。
【請求項３】
前記挿入口への前記結束バンドの挿入方向が前記結束バンドの表面に対して平行になるように、前記挿入口が形成される、請求項１または２に記載の感電防止装置。
【請求項４】
前記端子被覆部と前記結束バンドとの間に形成されたリブをさらに具備する請求項１から３のいずれか一項に記載の感電防止装置。
【請求項５】
前記結束バンドには、前記結束バンドの巻付方向に対して平行に延びる少なくとも一つスリットが形成されている請求項１から４のいずれか一項に記載の感電防止装置。
【請求項６】
電線に周方向に巻付いて被覆していて絶縁性材料から形成される結束バンドと、
前記結束バンドの一端に形成されていて前記結束バンドの他端を挿入する挿入口と、
該挿入口内に挿入された前記結束バンドのための戻止部と、
前記結束バンドの前記電線に接触する面とは反対側の面に形成されていて前記結束バンドの巻付方向に対して垂直または平行な少なくとも一つの隆起部とを具備する、感電防止装置。
【請求項７】
絶縁性材料から形成されていて端子を被覆する端子被覆部と、
前記端子被覆部を前記端子に接続された電線に固定するための結束バンドを通すために前記端子被覆部に隣接して形成された結束バンド挿入口とを具備する、感電防止装置。
【請求項８】
端子に接続された電線に周方向に巻付いて被覆する結束バンドを通す結束バンド挿入口と、
前記結束バンドの巻付方向に対して垂直または平行に配置されていて絶縁性材料から形成される隆起部とを具備する、感電防止装置。
【発明の詳細な説明】
【技術分野】
【０００１】
本発明は、配電盤や制御盤などに取付けられた電子機器または端子台の端子における感電を防止する感電防止装置に関する。
【背景技術】
【０００２】
配電盤や制御盤などには電子機器または端子台が取付けられている。そして、周知であるように、これら電子機器または端子台の端子には電線の端子が接続される。これら端子は導電部分であるので、操作者などが端子に触れると感電事故につながる。
【０００３】
このため、従来技術においては、感電防止のための部品が使用されている。例えば特許文献１においては、電線の端子を端子台の端子に固定する端子ねじに取付けられる絶縁カバーが開示されている。さらに、特許文献２には、電気基板のほぼ全体を被覆する感電防止用被覆部が開示されている。さらに、特許文献３には、器具の端子を被覆する端子絶縁部分と、端子に接続する電線が内部を通る電線貫通部分と、電線貫通部分に形成されたスロットとを備えた感電防止用保護キャップが開示されている。
【先行技術文献】
【特許文献】
【０００４】
【特許文献１】実開平５−２３７３号公報
【特許文献２】特開２０００−６９６１５号公報
【特許文献３】特開平９−１６１８５４号公報
【発明の概要】
【発明が解決しようとする課題】
【０００５】
しかしながら、特許文献１、特許文献２および特許文献３に開示された感電防止用の部品は、対応する端子または電子機器のための専用部品であり、汎用性に欠ける。このため、新たな製品を開発すると、その製品専用の感電防止用部品が別途必要となり、そのような部品の開発や保守のための費用が少なくない。
【０００６】
また、前述した感電防止用部品はいずれも端子に簡易的に固定される形式である。このため、特別な工具を使わずに、端子を意図的に露出させることが可能であり、安全性が十分であるとはいえない。
【０００７】
本発明はこのような事情に鑑みてなされたものであり、専用の部品を必要とすることなしに取付けることができ、電子機器または電子台の端子を確実に保護することのできる感電防止装置を提供することを目的とする。
【課題を解決するための手段】
【０００８】
前述した目的を達成するために１番目の発明によれば、絶縁性材料から形成されていて端子を被覆する端子被覆部と、該端子被覆部に一体的に前記絶縁性材料から形成されていて、前記端子に接続された電線に周方向に巻付いて被覆する結束バンドと、前記結束バンドの一端に形成されていて前記結束バンドの他端が挿入される挿入口と、該挿入口内に挿入された前記結束バンドを保持する戻止部とを具備する、感電防止装置が提供される。
２番目の発明によれば、１番目の発明において、前記端子被覆部と前記挿入口とが、前記結束バンドの巻付方向に対して垂直な方向において一直線上に配置されている。
３番目の発明によれば、１番目または２番目の発明において、前記挿入口への前記結束バンドの挿入方向が前記結束バンドの表面に対して平行になるように、前記挿入口が形成される。
４番目の発明によれば、１番目から３番目のいずれかの発明において、前記端子被覆部と前記結束バンドとの間に形成されたリブをさらに具備する。
５番目の発明によれば、１番目から４番目のいずれかの発明において、前記結束バンドには、前記結束バンドの巻付方向に対して平行に延びる少なくとも一つスリットが形成されている。
６番目の発明によれば、電線に周方向に巻付いて被覆していて絶縁性材料から形成される結束バンドと、前記結束バンドの一端に形成されていて前記結束バンドの他端を挿入する挿入口と、該挿入口内に挿入された前記結束バンドのための戻止部と、前記結束バンドの前記電線に接触する面とは反対側の面に形成されていて前記結束バンドの巻付方向に対して垂直または平行な少なくとも一つの隆起部とを具備する、感電防止装置が提供される。
７番目の発明によれば、絶縁性材料から形成されていて端子を被覆する端子被覆部と、前記端子被覆部を前記端子に接続された電線に固定するための結束バンドを通すために前記端子被覆部に隣接して形成された結束バンド挿入口とを具備する、感電防止装置が提供される。
８番目の発明によれば、端子に接続された電線に周方向に巻付いて被覆する結束バンドを通す結束バンド挿入口と、前記結束バンドの巻付方向に対して垂直または平行に配置されていて絶縁性材料から形成される隆起部とを具備する。
【発明の効果】
【０００９】
１番目の発明においては、結束バンドを電線に巻付けて、結束バンドの先端を挿入口に通し、戻止部により結束バンドを固定している。このため、専用の部品を必要とすることなしに感電防止装置を端子に取付けることができる。また、結束バンドを電線に巻付けつつ、端子被覆部により端子を被覆しているので、端子を確実に保護することができる。なお、挿入口に挿入された結束バンドの残余部分は切断するのが好ましく、これにより、複数の端子が隣接している場合であっても全ての端子に感電防止装置を取付けることが可能となる。
２番目の発明においては、挿入口が電線よりも上側に位置することになるので、挿入口に挿入された結束バンドの残余部分を容易に切断することができる。
３番目の発明においては、挿入口が電線よりも上側に位置することになり、また挿入口から延びる結束バンドが端子の上面に対して横方向に延びることになる。このため、見栄えを良くしつつ、挿入口に挿入された結束バンドの残余部分を容易に切断することができる。
４番目の発明においては、リブが設けられているので、柔軟材料または可撓性材料から感電防止装置を作成した場合であっても、端子被覆部が容易に変形するのを防止し、安全性を確保することができる。
５番目の発明においては、スリットが形成されているので、結束バンドが幅広または肉厚である場合であっても、結束バンドを曲げやすくでき、作業性を向上させられる。
６番目の発明においては、隆起部が隣接する隔壁の間の隙間に配置される。従って、隔壁の間の隙間が比較的大きい場合であっても、人間の指が感電防止板の間の隙間に入るのを防止し、安全性を確保することができる。
７番目および８番目の発明においては、端子被覆部または隆起部と結束バンドとを別部材にすることにより、端子および電線の接続状態に応じた最適な感電防止装置を選択することができる。
【図面の簡単な説明】
【００１０】
【図１】（ａ）本発明の第一の実施形態に基づく感電防止装置の、一面から見た斜視図である。（ｂ）図１（ａ）に示される感電防止装置の、他面から見た斜視図である。（ｃ）図１（ａ）に示される感電防止装置を端子台に取付けた状態を示す斜視図である。
【図２】（ａ）本発明の第二の実施形態に基づく感電防止装置の、一面から見た斜視図である。（ｂ）図２（ａ）に示される感電防止装置の、他面から見た斜視図である。（ｃ）図２（ａ）に示される感電防止装置を端子台に取付けた状態を示す斜視図である。
【図３】（ａ）本発明の第三の実施形態に基づく感電防止装置の、一面から見た斜視図である。（ｂ）図３（ａ）に示される感電防止装置の、他面から見た斜視図である。（ｃ）図３（ａ）に示される感電防止装置を端子台に取付けた状態を示す斜視図である。
【図４】（ａ）本発明の第四の実施形態に基づく感電防止装置の斜視図である。（ｂ）本発明の第四の実施形態に基づく感電防止装置の他の斜視図である。（ｃ）本発明の第四の実施形態に基づく感電防止装置のさらに他の斜視図である。
【図５】（ａ）本発明の第五の実施形態に基づく感電防止装置の、一面から見た斜視図である。（ｂ）図５（ａ）に示される感電防止装置の、他面から見た斜視図である。（ｃ）図５（ａ）に示される感電防止装置を端子台に取付けた状態を示す斜視図である。
【図６】（ａ）本発明の第六の実施形態に基づく感電防止装置の、一面から見た斜視図である。（ｂ）図６（ａ）に示される感電防止装置の、他面から見た斜視図である。（ｃ）図６（ａ）に示される感電防止装置を端子台に取付けた状態を示す斜視図である。
【図７】（ａ）本発明の第七の実施形態に基づく感電防止装置の、一面から見た斜視図である。（ｂ）図７（ａ）に示される感電防止装置の、他面から見た斜視図である。
【図８】本発明の第八の実施形態に基づく感電防止装置の斜視図である。
【図９】本発明の第九の実施形態に基づく感電防止装置の斜視図である。
【図１０】本発明の第十の実施形態に基づく感電防止装置の他の斜視図である。
【図１１】（ａ）第八から第十の実施形態で使用される結束バンドの斜視図である。（ｂ）図１１（ａ）に示される結束バンドの他の斜視図である。
【発明を実施するための形態】
【００１１】
以下、添付図面を参照して本発明の実施形態を説明する。以下の図面において同様の部材には同様の参照符号が付けられている。理解を容易にするために、これら図面は縮尺を適宜変更している。
図１（ａ）は本発明の第一の実施形態に基づく感電防止装置の、一面から見た斜視図であり、図１（ｂ）は図１（ａ）に示される感電防止装置の、他面から見た斜視図である。これら図面に示されるように、感電防止装置１０は、端子被覆部２０と、結束バンド３０とを主に含んでいる。
【００１２】
端子被覆部２０は絶縁性材料、例えばプラスチックから形成されている。図面に示される端子被覆部２０は略箱形形状であり、図示しない配電盤や制御盤などに取付けられた電子機器または端子台の一つの端子を被覆する。公知であるように、電子機器または端子台の端子には、通常、電線の端子が配置され、これら端子はネジにより固定されている。端子被覆部２０は、これら端子およびネジをその上方および側方から被覆するのに十分に大きいものとする。
【００１３】
結束バンド３０は、端子被覆部２０と同一の材料から形成された略細長状部材である。図示されるように、結束バンド３０の基端には、挿入口３５が形成されている。挿入口３５には、結束バンド３０がその先端から挿入されるようになっている。図１（ａ）においては、結束バンド３０挿入方向が結束バンド３０の表面に対して垂直になるように、挿入口３５が形成されている。
【００１４】
また、挿入された結束バンド３０を保持する目的で、挿入口３５の周囲部は結束バンド３０自体よりも肉厚に形成されている。なお、結束バンド３０を挿入口３５に挿入するのを容易にするために、結束バンド３０の先端は結束バンド３０の残りの部分に対してわずかながら傾斜している。
【００１５】
また、図１（ａ）に示されるように結束バンド３０の表面３１は平滑である。しかしながら、図１（ｂ）から分かるように、裏面３２には結束バンド３０の横断方向に延びる複数の鋸歯部が結束バンド３０の先端近傍に形成されている。結束バンド３０の先端が挿入口３５に挿入されたときに、一つの鋸歯部が挿入口３５の縁部に係合して結束バンド３０を保持する。つまり、鋸歯部は、結束バンド３０を保持する戻止部３６としての役目を果たす。
【００１６】
さらに、図１（ａ）から分かるように、端子被覆部２０は、結束バンド３０の一方の側方縁部における挿入口３５からズレた位置において結束バンド３０に接続されている。端子被覆部２０と結束バンド３０とは一体的に形成されていてもよく、その場合には感電防止装置１０は成形により作成される。
【００１７】
図１（ｃ）は図１（ａ）に示される感電防止装置を端子台に取付けた状態を示す斜視図である。図１（ｃ）には、端子台６０が示されている。端子台６０は、複数、例えば四つの端子６１を有しており、これら端子６１のそれぞれは隔壁６２により互いに仕切られている。図１（ｃ）から分かるように、電線７０の端子７１がネジ６５によって端子台６０の端子６１に接続されている。
【００１８】
図１（ｃ）において最下方に位置する電線７０には、本発明の感電防止装置１０が取付けられている。簡単に説明すると、はじめに、操作者は感電防止装置１０の端子被覆部２０を二つの隔壁６２の間に挿入して、対応するネジ６５および端子６１、７１を被覆する。この目的のために、端子被覆部２０は二つの隔壁６２の間に挿入されるのに適した寸法であるのが好ましい。
【００１９】
そして、操作者は、結束バンド３０の先端を把持して挿入口３５に挿入し、それにより、結束バンド３０が対応する電線７０を巻付けるようにする。操作者が、結束バンド３０の先端をさらに引張ると、戻止部３６の一つの鋸歯部が挿入口３５の縁部に係合する。従って、結束バンド３０が電線７０を堅固に保持しつつ電線７０を周方向に被覆するようになる。
【００２０】
最終的に、操作者は挿入口３５から突出した結束バンド３０の残余部分をカッタなどで切断する。従って、隣接する別の電線７０に対しても、同様に感電防止装置１０の結束バンド３０を取付けることができる。このようにして、感電防止装置１０の端子被覆部２０が端子台６０の端子６１等を被覆すると共に、結束バンド３０が電線７０を被覆するようになる。
【００２１】
このように、本発明においては、結束バンド３０を電線７０に周方向に巻付けてこれを被覆している。そして、結束バンド３０は戻止部３６によって固定されるので、専用の部品を必要とすることなしに感電防止装置１０を取付けることが可能となる。また、本発明においては、結束バンド３０を電線７０に巻付けつつ、端子被覆部２０が端子６１等を被覆している。従って、感電防止装置１０は不注意や不慮の事故で容易に外れることはなく、従って、端子６１、７１等を確実に保護することができる。
【００２２】
また、結束バンド３０により電線７０を周方向に巻付けて固定するので、電線７０の線径が異なる場合であっても、結束バンド３０の締付量を変更することのみによって、そのような電線７０を固定することができる。従って、電線７０の線径によらず、汎用的な使用が可能である。
【００２３】
図２（ａ）は本発明の第二の実施形態に基づく感電防止装置の、一面から見た斜視図であり、図２（ｂ）は図２（ａ）に示される感電防止装置の、他面から見た斜視図である。以下においては、前述したのと同様の部材については、簡略のために再度の説明を省略する。図２（ａ）および図２（ｂ）に示されるように、第二の実施形態においては、端子被覆部２０が挿入口３５に隣接して配置されている。具体的には、端子被覆部２０と挿入口３５とが、結束バンド３０の巻付方向に対して垂直な方向において一直線上に配置されている。
【００２４】
図２（ｃ）は、図２（ａ）に示される感電防止装置を端子台に取付けた状態を示す斜視図である。前述したように感電防止装置１０を端子台６０および電線７０に取付けると、挿入口３５は端子被覆部２０に隣接して端子台６０の上側に位置するようになる。このため、感電防止装置１０を取付ける際の操作性が増す。具体的には、図２（ｃ）に示される取付状態は結束バンド３０の先端を挿入口３５に挿入することと、結束バンド３０の残余部分を切断することとに有利である。
【００２５】
図３（ａ）は本発明の第三の実施形態に基づく感電防止装置の、一面から見た斜視図であり、図３（ｂ）は図３（ａ）に示される感電防止装置の、他面から見た斜視図である。これら図面に示されるように、第三の実施形態においては、挿入口３５は、結束バンド３０の挿入方向が結束バンド３０の表面に対して平行になるように形成されている。
【００２６】
図３（ｃ）は図３（ａ）に示される感電防止装置を端子台に取付けた状態を示す斜視図である。図３（ｃ）に示されるように、感電防止装置１０を端子台６０および電線７０に取付けると、挿入口３５は端子被覆部２０に隣接して端子台６０の上側に位置するようになる。このため、前述したのと同様に、感電防止装置１０を取付ける際の操作性が増す。
【００２７】
さらに、図３（ｃ）と図２（ｃ）とを比較して分かるように、第三の実施形態においては、切断された結束バンド３０の先端が上側に突出することはなく、結束バンド３０の先端は電線７０の外周面に接するように、端子台６０の上面に対して横方向に延びる。従って、第三の実施形態は第二の実施形態よりも見栄えが向上することが分かるであろう。
【００２８】
図４（ａ）は本発明の第四の実施形態に基づく感電防止装置の斜視図である。図４（ａ）においては、図１（ａ）に示したのと同様な感電防止装置１０が示されており、リブ３９ａが端子被覆部２０の裏面と結束バンド３０の表面３１とに跨って形成されている。図４（ａ）から分かるように、リブ３９ａは特に端子被覆部２０と結束バンド３０との間の接続部分を補強する。
【００２９】
前述したように感電防止装置１０は絶縁性材料、例えばプラスチックから一体成形により作成される。また、感電防止装置１０の結束バンド３０を電線７０に巻付ける必要があるので、比較的曲げやすい絶縁性材料が要求される。このため、感電防止装置１０を一旦、端子台６０に取付けると、感電防止装置１０の端子被覆部２０が不注意や不慮の事故で端子６１等から外れる可能性がある。
【００３０】
しかしながら、図４（ａ）に示される構成においてはリブ３９ａがこの接続部分を補強する。従って、比較的曲げやすい材料から感電防止装置１０を作成した場合であっても、端子被覆部２０が不注意などで持上げられることはなく、安全を確保することができる。
【００３１】
図４（ｂ）および図４（ｃ）は本発明の第四の実施形態に基づく感電防止装置の斜視図であり、それぞれ図２（ａ）および図３（ａ）に示されるのと同様な感電防止装置１０が示されている。図４（ｂ）および図４（ｃ）においては、リブ３９ｂ、３９ｃが挿入口３５の端部から端子被覆部２０の裏面までそれぞれ延びている。このような場合であっても、前述したのと同様な効果が得られるのは明らかであろう。
【００３２】
図５（ａ）は本発明の第五の実施形態に基づく感電防止装置の、一面から見た斜視図であり、図５（ｂ）は図５（ａ）に示される感電防止装置の、他面から見た斜視図である。これら図面に示される感電防止装置１０は結束バンド３０と、結束バンド３０の基端に設けられた挿入口３５とを含んでいる。図示されるように、挿入口３５は、結束バンド３０の挿入方向が結束バンド３０の表面に対して垂直になるように、形成されている。
【００３３】
さらに、第五の実施形態に基づく感電防止装置１０は挿入口３５から所定距離だけ離れた位置に横断方向隆起部３８を備えている。図５（ａ）から分かるように、横断方向隆起部３８は結束バンド３０の一方の縁部から他方の縁部まで横断方向に延びる隆起した部材である。
【００３４】
図５（ｃ）は図５（ａ）に示される感電防止装置を端子台に取付けた状態を示す斜視図である。図５（ｃ）においては、前述したのと同様な端子台６０が示されており、端子台６０の頂面が感電防止板６６により閉鎖されている。図５（ｃ）に示されるように、感電防止装置１０を端子台６０および電線７０に取付けると、横断方向隆起部３８は対応する端子６１等に隣接して端子台６０の前方に位置するようになる。具体的には、横断方向隆起部３８は端子６１の前方であって隣接する二つの隔壁６２の間に配置される。
【００３５】
言い換えれば、横断方向隆起部３８が感電防止板６６および隣接する二つの隔壁６２により形成される空間の前方に位置するようになる。従って、操作者の指がこの空間に進入するのを防止することができる。それゆえ、隔壁６２の間の隙間が比較的大きい場合であっても、安全性を確保することが可能である。
図６（ａ）は本発明の第六の実施形態に基づく感電防止装置の、一面から見た斜視図であり、図６（ｂ）は図６（ａ）に示される感電防止装置の、他面から見た斜視図である。これら図面には、第五の実施形態と概ね同様な構成の感電防止装置１０が示されている。ただし、図６（ａ）および図６（ｂ）においては、横断方向隆起部３８は排除され、その代わりに、長手方向隆起部３７が結束バンド３０の一方の側方縁部に設けられている。
【００３６】
図６（ｃ）は図６（ａ）に示される感電防止装置を端子台に取付けた状態を示す斜視図である。図６（ｃ）においては、前述したのと同様に頂面が感電防止板６６により閉鎖された端子台６０が示されている。図６（ｃ）に示されるように、感電防止装置１０を端子台６０および電線７０に取付けると、長手方向隆起部３７が、感電防止板６６および隣接する二つの隔壁６２により形成される空間の前方に位置するようになる。
【００３７】
言い換えれば、この空間を側方から閉鎖する位置に長手方向隆起部３７が配置される。従って、操作者の指がこの空間に進入するのを防止することができる。それゆえ、前述したのと同様に、隔壁６２の間の隙間が比較的大きい場合であっても、安全性を確保することが可能である。
【００３８】
図７（ａ）は本発明の第七の実施形態に基づく感電防止装置の、一面から見た斜視図であり、図７（ｂ）は図７（ａ）に示される感電防止装置の、他面から見た斜視図である。これら図面には、図３（ａ）および図３（ｂ）に示したのと概ね同様な感電防止装置１０が示されている。第七の実施形態においては、結束バンド３０において複数のスリット３４が結束バンド３０の長手方向に対して平行に形成されている。結束バンド３０が幅広または肉厚である場合であっても、これらスリット３４によって結束バンド３０を容易に曲げることができ、結束バンド３０を電線７０に巻付けるのが助勢される。図７（ａ）および図７（ｂ）には四つのスリット３４が形成されているが、スリット３４の数および寸法を、巻付けられるべき電線７０に応じて変更できるのは、当業者であれば明らかであろう。
【００３９】
図８は本発明の第八の実施形態に基づく感電防止装置の斜視図である。図８に示される感電防止装置１０ａは、端子被覆部２０と、端子被覆部２０から延びる延長部２１と、延長部２１および端子被覆部２０に跨って設けられた隆起部２６とを含んでおり、隆起部２６の両側部を貫通する挿入口２５が形成されている。隆起部２６は端子被覆部２０と延長部２１との接続を補強すると共に、端子被覆部２０が不注意などで持上げられるのを防止する役目を果たす。
【００４０】
図１１（ａ）および図１１（ｂ）は結束バンドの斜視図である。これら図面に示されるように結束バンド３０ａはその一端に挿入口３５を備え、裏面３２に戻止部３６が形成された部材である。この結束バンド３０ａも前述した結束バンド３０と同様の材料から形成されている。
【００４１】
感電防止装置１０ａを端子台６０に取付ける際には、結束バンド３０ａの先端を挿入口２５に通して電線７０を巻付ける。次いで、結束バンド３０ａの戻止部３６を利用して結束バンド３０ａを感電防止装置１０ａおよび電線７０に固定する。これにより、前述したのと同様な効果が得られるのが分かるであろう。
【００４２】
図９は本発明の第九の実施形態に基づく感電防止装置の斜視図である。図９に示される感電防止装置１０ｂは、横断方向隆起部３８ａと、その下方に形成された挿入口２５ｂとを主に含んでいる。感電防止装置１０ｂを端子台６０に取付ける際には、前述したように結束バンド３０ａ（図１１参照）の先端を挿入口２５ｂに通して電線７０を巻付けて戻止部３６を利用して固定する。
【００４３】
これにより、図５（ｃ）を参照して説明したように、横断方向隆起部３８ａは端子６１の前方であって隣接する二つの隔壁６２の間に配置される。つまり、横断方向隆起部３８が感電防止板６６および隣接する二つの隔壁６２により形成される空間の前方に位置する。従って、前述したように隔壁６２の間の隙間が比較的大きい場合であっても、安全性を確保できる。
【００４４】
図１０は本発明の第十の実施形態に基づく感電防止装置の斜視図である。図１０に示される感電防止装置１０ｃは、長手方向隆起部３７ａと、長手方向隆起部３７ａに対して垂直に延びる延長部２１ａと、延長部２１ａに形成された挿入口２５ｃとを含んでいる。感電防止装置１０ｃを端子台６０に取付ける際には、前述したように結束バンド３０ａ（図１１参照）の先端を挿入口２５ｃに通して電線７０を巻付けて固定する。
【００４５】
これにより、図６（ｃ）を参照して説明したように、長手方向隆起部３７が、感電防止板６６および隣接する二つの隔壁６２により形成される空間の前方に位置するようになる。つまり、この空間を側方から閉鎖する位置に長手方向隆起部３７が配置される。従って、前述したように隔壁６２の間の隙間が比較的大きい場合であっても、安全性を確保できる。
【００４６】
さらに、図８から図１１（ｂ）を参照して説明したように、端子被覆部２０と結束バンド３０とを別部材にすることにより、端子６１、７１および電線７０の接続状態に応じた最適な感電防止装置を選択できるのが分かるであろう。なお、前述した実施形態のいくつかを適宜組み合わせることは本発明の範囲に含まれる。
【符号の説明】
【００４７】
１０、１０ａ、１０ｂ、１０ｃ    感電防止装置
２０    端子被覆部
２１、２１ａ    延長部
２５、２５ａ、２５ｂ、２５ｃ    挿入口
２６    隆起部
３０    結束バンド
３１    表面
３２    裏面
３４    スリット
３５    挿入口
３６    戻止部
３７、３７ａ    長手方向隆起部
３８、３８ａ    横断方向隆起部
３９ａ、３９ｂ、３９ｃ    リブ
６０    端子台
６１    端子
６２    隔壁
６５    ネジ
７０    電線
【図１】
2014017148.tif 000003
【図２】
2014017148.tif 000004
【図３】
2014017148.tif 000005
【図４】
2014017148.tif 000006
【図５】
2014017148.tif 000007
【図６】
2014017148.tif 000008
【図７】
2014017148.tif 000009
【図８】
2014017148.tif 000010
【図９】
2014017148.tif 000011
【図１０】
2014017148.tif 000012
【図１１】
2014017148.tif 000013